(57)【特許請求の範囲】
【請求項１】
健診支援システムにおいて出力手段と接続され、受診者の検査結果を結果表に配して前記出力手段に出力させる健診支援装置であって、
前記検査結果の値が取りうる区分を記憶する第１の記憶手段と、
前記受診者の検査結果を受けて、この検査結果が示す値が属する前記区分を判定する判定手段と、
前記検査結果の判定に対応する内容を有し、前記健診支援システムが備える記憶装置に記憶されるコンテンツサイトのアドレス情報を、前記区分に対応させて記憶する第２の記憶手段と、
前記検査結果と、前記判定手段で判定された前記区分に対応する判定結果と、前記第２の記憶手段から読み出した、判定された前記区分に応じた前記アドレス情報とを組み合わせた前記結果表を作成する結果表作成手段と、
前記結果表を前記出力手段に出力させる出力制御手段と、
を備えること、
を特徴とする健診支援装置。
【請求項２】
前記コンテンツサイトは、健診施設に受診者の情報を送信するための入力部が表示され、当該入力部に入力された内容は、前記健診施設の端末にネットワークを介して送信されることを特徴とする請求項１記載の健診支援装置。
【請求項３】
前記第２の記憶手段から読み出した、判定された前記区分に対応する前記アドレス情報を、文字列から２次元コードに変換する２次元コード作成手段をさらに備え、
前記結果表作成手段は、前記２次元コード作成手段で作成された前記２次元コードを前記アドレス情報として前記結果表に配置すること、
を特徴とする請求項１記載の健診支援装置。
【請求項４】
前記健診は複数の項目について行われ、前記検査結果は、各項目についての検査結果であり、前記第２の記憶手段は、前記項目毎の区分に対応した前記検査結果の判定に対応する内容を有するコンテンツサイトのアドレス情報、及び、異なる項目同士の検査結果の値が取りうる組み合わせ区分に対応したその組み合わせに係る内容を有するコンテンツサイトのアドレス情報、を予め記憶し、
前記結果表作成手段は、前記項目毎の検査結果と前記判定手段で判定された前記区分及び前記組み合わせ区分に応じた前記アドレス情報とを組み合わせた前記結果表を作成することを特徴とする請求項１記載の健診支援装置。
【請求項５】
前記異なる項目は、ＢＭＩ値および血圧であることを特徴とする請求項４記載の健診支援装置。
【請求項６】
前記出力制御手段は、前記出力手段に対して前記結果表を紙に印刷して出力させることを特徴とする請求項１記載の健診支援装置。
【請求項７】
出力手段と接続され、健康診断における受診者の検査結果を結果表に配して前記出力手段に出力させる健診支援システムであって、
前記検査結果が示す値についての判定に対応する各種内容を有する各種コンテンツサイトを記憶する第１の記憶手段と、
前記検査結果の値が取りうる区分を予め記憶する第２の記憶手段と、
前記受診者の検査結果を受けて、この検査結果が示す値が属する前記区分を判定する判定手段と、
前記検査結果が示す値の判定に対応する内容を有する前記コンテンツサイトのアドレス情報を、前記区分に対応させて予め記憶する第３の記憶手段と、
前記検査結果と、前記判定手段で判定された前記区分に対応する判定結果と、前記第２の記憶手段から読み出した判定された前記区分に対応した前記アドレス情報とを組み合わせた前記結果表を作成する結果表作成手段と、
を備えること、
を特徴とする健診支援システム。
【発明の詳細な説明】
【技術分野】
【０００１】
本発明は、健康診断の検査結果が示す値を判定して結果表に出力する健診支援装置及びシステムに関する。
【背景技術】
【０００２】
健康診断を実施した場合、その検査結果が示す値と検査結果が示す値を判定した結果とが結果表に印刷され、受診者に通知される。例えば、身長や体重を測定すると、身長と体重とから算出されるＢＭＩ値に対して「痩せすぎ」又は「標準」又は「太り気味」又は「肥満」等の各区分が判定される。そして、身長と体重とＢＭＩ値といった検査結果とともに、この区分と区分に対応する情報が結果表に印刷される。
【０００３】
この結果表の出力は、例えばコンピュータにより構成される健康診断支援装置（以下、「健診支援装置」という）により行われる。健診支援装置は、キーボードやマウスやネットワークインターフェースを介して入力された検査結果を判定し、検査結果とこの検査結果が属する区分と検査結果に応じた情報を組み合わせて結果表を作成し、プリンタ等の出力装置に出力させる（例えば、「特許文献１」、「特許文献２」、「特許文献３」参照。）。
【０００４】
結果表は、印刷紙に出力されることが一般的であるため、用紙の大きさの関係上、記載される情報量に制限がある。従って、結果表には、検査結果に応じた情報として、ごく一部の重要な情報のみが記載されるに留まり、肥満と病理との関係や健全な食事制限の方法といった一般的な内容や、検査結果から認識できる危険性や個人に合わせた改善方法等の詳細情報を十分に記載しているとは言えなかった。
【０００５】
【特許文献１】特開平８−３３５２４１号公報
【特許文献２】特開２００３−６７４８９号公報
【特許文献３】特開２００６−６７１９号公報
【発明の開示】
【発明が解決しようとする課題】
【０００６】
本発明は、上記事情に鑑みてなされたものであり、その目的とするところは、検査結果を通知する結果表のスペースの制限を受けることなく、検査結果が示す値の判定に即した情報を受診者に通知することのできる健診支援装置及び健診支援システムを提供することにある。
【課題を解決するための手段】
【０００７】
上記課題を解決するために、請求項１の本発明に係る健診支援装置は、健診支援システムにおいて出力手段と接続され、受診者の検査結果を結果表に配して前記出力手段に出力させる健診支援装置であって、前記検査結果の値が取りうる区分を記憶する第１の記憶手段と、前記受診者の検査結果を受けて、この検査結果が示す値が属する前記区分を判定する判定手段と、前記検査結果の判定に対応する内容を有し、前記健診支援システムが備える記憶装置に記憶されるコンテンツサイトのアドレス情報を、前記区分に対応させて記憶する第２の記憶手段と、前記検査結果と、前記判定手段で判定された前記区分に対応する判定結果と、前記第２の記憶手段から読み出した、判定された前記区分に応じた前記アドレス情報とを組み合わせた前記結果表を作成する結果表作成手段と、前記結果表を前記出力手段に出力させる出力制御手段と、を備えること、を特徴とする。
【０００８】
上記課題を解決するために、請求項７の本発明に係る健診支援システムは、出力手段と接続され、健康診断における受診者の検査結果を結果表に配して前記出力手段に出力させる健診支援システムであって、前記検査結果が示す値についての判定に対応する各種内容を有する各種コンテンツサイトを記憶する第１の記憶手段と、前記検査結果の値が取りうる区分を予め記憶する第２の記憶手段と、前記受診者の検査結果を受けて、この検査結果が示す値が属する前記区分を判定する判定手段と、前記検査結果が示す値の判定に対応する内容を有する前記コンテンツサイトのアドレス情報を、前記区分に対応させて予め記憶する第３の記憶手段と、前記検査結果と、前記判定手段で判定された前記区分に対応する判定結果と、前記第２の記憶手段から読み出した判定された前記区分に対応した前記アドレス情報とを組み合わせた前記結果表を作成する結果表作成手段と、を備えること、を特徴とする。
【発明の効果】
【０００９】
本発明の態様によっては、受診者を検査結果に応じた内容を有するコンテンツサイトに導くことができ、一般的な内容や更に詳細な情報等の結果表に記載しきれなかった内容を検査結果に応じて提供することができる。
【発明を実施するための最良の形態】
【００１０】
以下、本発明に係る健診支援システムの好適な実施形態について、図面を参照しながら具体的に説明する。
【００１１】
図１は、本実施形態に係る健診支援装置１の概念を示す模式図である。
【００１２】
健診支援装置１は、健康診断を受けた受診者の検査結果１００を判定して、検査結果１００の判定に応じた２次元コード１８２を配した結果表１８１を作成し、出力部２に出力させる。
【００１３】
検査結果１００は、受診者の健康診断の結果を示す情報である。具体的には、検査結果１００は、身長や体重や血圧等の数値やコメントである。定型コメントは、その内容に応じて点数付けがされて数値化されることで判定に利用される。これら検査結果１００は、キーボードやマウスを用いて直接入力される他、図示しない計測器とネットワークを介して健診支援装置１が接続されている場合には、この計測器から通信によって入力される。
【００１４】
検査結果１００には、身長や体重や血圧等の健康診断によって得られた情報を加工して得られた情報も含まれる。例えば、身長及び体重から算出されたＢＭＩ（Body Mass Index）値も検査結果１００として判定に使用する。健診支援装置１は、身長及び体重が入力されると、ＢＭＩ値を算出して、このＢＭＩ値を検査結果１００として記憶する。ＢＭＩ値は、肥満の程度を表す指数であり、体重を身長の２乗で除して得られる値である。
【００１５】
結果表１８１は、健康診断の結果を示す文字列やレーダーチャート等を含んだ画像である。２次元コード１８２は、インターネット上に存在するコンテンツサイト４のＵＲＬ等のアドレスを２次元の図形パターンで表現した画像である。
【００１６】
コンテンツサイト４は、インターネット上のサーバに記憶される。即ち、このサーバは、予め、検査結果１００の判定に即した内容を有する各種コンテンツサイト４を記憶し、健診支援装置１とともに健診支援システムを構成する。コンテンツサイト４には、例えば、結果表１８１には記載しきれない詳細な情報が含まれている。
【００１７】
健診支援装置１は、検査結果１００の判定に即した内容を有するコンテンツサイト４のアドレスを２次元コード１８２に変換して、結果表１８１に配置し、出力部２に出力させる。
【００１８】
健診支援装置１の判定処理としては、検査結果１００が示す値の属する区分を判定する。そして、健診支援装置１は、この区分に対応付けられているアドレスを２次元コード１８２に変換する。
【００１９】
出力部２は、本実施形態では、印刷紙に画像を形成するプリンタである。健診支援装置１は、プリンタを制御して印刷紙に結果表１８１の画像を形成させる。結果表１８１を受け取った受診者は、情報端末３で、結果表１８１に配されている２次元コード１８２を読み取り、２次元コード１８２が示すアドレスのコンテンツサイト４にアクセスすることで、検査結果１００の判定に即した詳細な情報を閲覧し、またこのコンテンツサイト４から相談を返信して医師等から継続的にアドバイスを受けることができる。情報端末３としては、２次元コード１８２を読み取り可能なカメラを有し、インターネット上にアクセス可能な携帯電話やＰＣが挙げられる。
【００２０】
図２は、コンテンツサイト４の一例を示す模式図である。
【００２１】
例えば、ＢＭＩ値の区分に応じてコンテンツサイト４が開設されている。ＢＭＩ値を示す検査結果１００の判定の結果、この検査結果１００が「３０以上」の区分に属する場合、２次元コード１８２は、ＢＭＩ値が「３０以上」との判定に即する内容を有するコンテンツサイト４のアドレスを示す。このアドレス先となるコンテンツサイト４には、ＢＭＩ値が「３０以上」との判定に即する詳細情報４１が記載されている。詳細情報４１としては、例えば、ＢＭＩ値が「３０以上」であった場合の病理上の懸念、ＢＭＩ値が「３０以上」であった場合の運動方法等、結果表１８１に記載しきれない情報が記載される。
【００２２】
また、このコンテンツサイト４には、病院や健診センター等の健診施設に受診者の情報を送信するための入力フィールド４２が表示されている。この入力フィールド４２に記述された内容は、健診施設の端末にネットワークを介して送信される。例えば、食べたものを示す文字列が入力フィールド４２に入力されて健診施設に送信されるにより、健診施設の医師等と双方向で食事面のアドバイスについて継続的にやりとりを行うことができる。
【００２３】
図３は、結果表１８１を作成する健診支援装置１の構成を示す構成図である。
【００２４】
健診支援装置１は、入力部１０と結果記憶部１１と定型コメント記憶部１２と結果加工部１３と判定部１４と区分テーブル記憶部１５と２次元コード作成部１６とアドレス情報記憶部１７と結果表作成部１８と出力制御部１９とを有する。
【００２５】
入力部１０は、検査結果１００が入力されるインターフェースである。詳しくは、キーボードやマウス等の操作手段や、計測器とネットワークを介して接続されている場合のネットワークインターフェースである。入力部１０を介して入力された検査結果１００は、結果記憶部１１に記憶される。結果記憶部１１は、検査結果１００を記憶するメモリである。結果記憶部１１は、キーボードやマウスを用いて入力された受診者を示す情報と、受診者の検査結果１００とを関連付けて記憶する。受診者を示す情報は、例えば、受診者の氏名やＩＤである。
【００２６】
定型コメント記憶部１２は、予め定型のコメントを示す文字列を記憶している。キーボードやマウスを用いて定型のコメントを選択する操作がなされると、この定型コメント記憶部１２から選択された定型のコメントが読み出され、検査結果１００として結果記憶部１１に記憶される。
【００２７】
結果加工部１３は、受診者を測定して得られた検査結果１００を基に新たな検査結果１００を算出し、結果記憶部１１に記憶させる。例えば、身長と体重からＢＭＩ値を算出し、ＢＭＩ値を検査結果１００として結果記憶部１１に記憶させる。
【００２８】
判定部１４は、検査結果１００が示す値が属する区分を判定する。この判定部１４は、区分テーブル記憶部１５に記憶されている区分テーブル１５０を参照する。
【００２９】
図４は、区分テーブル１５０を示す模式図である。
【００３０】
区分テーブル記憶部１５は、所謂メモリであり、区分テーブル１５０を記憶している。区分テーブル１５０は、検査結果１００が示す値が取りうる各区分を示す区分コード１５１と、検査結果１００が示す値が属する区分を判定するための区分判定式１５２とを記憶している。区分判定式１５２は、区分毎に記憶されており、対応する区分に属する条件を表している。この区分コード１５１と区分判定式１５２は、区分によって対応付けられている。
【００３１】
例えば、ＢＭＩ値の判定のための区分テーブル１５０は、痩せすぎの区分を示す「Ｓ」と、標準の区分を示す「Ｍ」、太り気味の区分を示す「Ｌ」と、肥満の区分を示す「ＸＬ」の４つの区分コード１５１を記憶している。そして、この区分テーブル１５０には、「Ｓ」の区分コード１５１に対応付けて、「Ｓ」の区分に属する条件である「ＢＭＩ値＜２０」という区分判定式１５２が記憶され、「Ｍ」の区分コード１５１に対応付けて、「Ｍ」の区分に属する条件である「２５＞ＢＭＩ値≧２０」という区分判定式１５２が記憶され、「Ｌ」の区分コード１５１に対応付けて、「Ｌ」の区分に属する条件である「３０＞ＢＭＩ値≧２５」という区分判定式１５２が記憶され、「ＸＬ」の区分コード１５１に対応付けて、「ＸＬ」の区分に属する条件である「３０≧ＢＭＩ値」という区分判定式１５２が記憶されている。
【００３２】
判定部１４は、各区分判定式１５２と検査結果１００とを比較することで、検査結果１００の属する区分を判定する。即ち、判定部１４は、比較の結果、検査結果１００が満たす条件を表す区分判定式１５２と対応付けられている区分コード１５１を取得する。
【００３３】
例えば、「２３」というＢＭＩ値を示す検査結果１００を結果記憶部１１から読み出すと、ＢＭＩ値の区分テーブル１５０を参照して、各区分判定式１５２と比較し、この検査結果１００が満たす「２５＞ＢＭＩ値≧２０」という区分判定式１５２に対応付けられている「Ｍ」という区分コード１５１を取得する。
【００３４】
２次元コード作成部１６は、検査結果１００の判定に即したコンテンツサイト４のアドレスを示す２次元コード１８２を作成する。この２次元コード作成部１６は、アドレス情報記憶部１７に記憶されているアドレス情報テーブル１７０を参照して２次元コード１８２を作成する。
【００３５】
図５は、アドレス情報テーブル１７０を示す模式図である。
【００３６】
アドレス情報記憶部１７は、所謂メモリであり、アドレス情報テーブル１７０を記憶している。アドレス情報テーブル１７０は、アドレス情報１７１と各区分コード１５１とを対応付けて記憶している。アドレス情報１７１は、コンテンツサイト４のアドレスを示す文字列である。検査結果１００の判定に即した内容を有するコンテンツサイト４のアドレス情報１７１と、検査結果１００の判定内容を示す区分コード１５１とが対応付けられている。
【００３７】
２次元コード作成部１６は、判定部１４で判定された区分に応じたアドレス情報１７１をアドレス情報記憶部１７から読み出して、このアドレス情報１７１を示す文字列を２次元コード１６に変換する。判定部１４で判定された区分に応じたアドレス情報１７１は、判定部１４が取得した区分コード１５１に対応付けられている。２次元コード作成部１８２は、取得された区分コード１５１に対応付けられているアドレス情報１７１をアドレス情報テーブル１７０から読み出して、２次元コード１８２に変換する。
【００３８】
結果表作成部１８は、結果表１８１の画像を作成する。図６は、結果表１８１を示す模式図である。
【００３９】
結果表１８１は、検査結果１００と判定結果１８３と２次元コード１８２とが組み合わせられて作成される。判定結果１８３は、検査結果１００の判定の結果を示す文字列やレーダーチャート等の図形である。
【００４０】
結果表作成部１８は、検査結果１００を結果記憶部１１から読み出して、結果表１８１のフォーマットデータに加える。また、結果表作成部１８は、２次元コード作成部１６が作成した２次元コード１８２を結果表１８１のフォーマットデータに加える。また、結果表作成部１８は、予め、区分コード１５１に対応付けて文字列で表される判定結果１８３を記憶しており、判定部１４が取得した区分コード１５１に対応付けられている文字列で表される判定結果１８３を、結果表１８１のフォーマットデータに加える。また、結果表作成部１８は、判定部１４が取得した区分コード１５１が表す区分を示すレーダーチャートの画像を作成し、結果表１８１のフォーマットデータに加える。
【００４１】
出力制御部１９は、出力部２を制御するドライバである。この出力制御部１９は、結果表作成部１８が作成した結果表１８１の画像を出力部２へ出力して、出力部２に印刷させる。
【００４２】
このような健診支援装置の動作を図７に基づき説明する。図７は、本実施形態に係る健診支援装置の動作を示すフローチャートである。尚、本実施形態では、ＢＭＩ値を基に判定を行い、その判定の結果に応じて結果表１８１を作成する一例を説明する。
【００４３】
まず、健診支援装置において、入力部１０を介して入力された検査結果１００を結果記憶部１１に記憶させる（Ｓ０１）。
【００４４】
データが手入力される場合には、キーボードやマウス等のキー入力によって検査結果１００が入力される。定型のコメントが選択された場合には、選択された定型のコメントを定型コメント記憶部１２から読み出して、結果記憶部１１に記憶させる。計測器とネットワークで接続されている場合には、ネットワーク及びネットワークインターフェースによって検査結果１００が入力される。このキーボードやマウス、又はネットワーク及びネットワークインターフェースによって入力された検査結果１００を記憶する。
【００４５】
ＢＭＩ値を基に判定を行い結果表１８１に纏める場合には、身長と体重を表す各検査結果１００が入力される。
【００４６】
結果表１８１の出力処理においては、検査結果１００の入力後、キーボードやマウスを用いて結果表１８１の出力要求操作がなされると（Ｓ０２）、結果加工部１３は、身長と体重を表す検査結果１００を結果記憶部１１から読み出してＢＭＩ値を算出する（Ｓ０３）。
【００４７】
判定部１４は、結果記憶部１１に記憶されているＢＭＩ値を表す検査結果１００と区分テーブル１５０に記憶されている各区分判定式１５２を比較し（Ｓ０４）、ＢＭＩ値を表す検査結果１００が属する区分の区分コード１５１を取得する（Ｓ０５）。
【００４８】
区分コード１５１が取得されると、２次元コード作成部１６は、アドレス情報テーブル１７０を参照して、区分コード１５１に対応付けられているアドレス情報１７１を読み出す（Ｓ０６）。そして、２次元コード作成部１６は、読み出したアドレス情報１７１を文字列から２次元コード１８２に変換する（Ｓ０７）。取得された区分コード１５１に対応付けられているアドレス情報１７１は、検査結果１００の属する区分、即ち検査結果の判定に即する内容を有するコンテンツサイト４のアドレスを示している。
【００４９】
２次元コード１８２が作成されると、結果表作成部１８は、結果記憶部１１に記憶されている検査結果１００、取得された区分コード１５１に対応付けられている判定結果１８３、作成された２次元コード１８２を組み合わせることで結果表１８１を作成する（Ｓ０８）。
【００５０】
結果表１８１が作成されると、出力制御部１９は、結果表１８１を出力部２に送信して印刷紙に出力させる（Ｓ０９）。
【００５１】
このような健診支援装置の処理により、結果表１８１には、検査結果１００の判定に即した内容を有するコンテンツサイト４のアドレス情報１７１が２次元コード１８２の形で印刷される。この２次元コード１８２を情報端末３で読み取り、２次元コード１８２が表すアドレス情報１７１に対応するコンテンツサイト４にアクセスすることで、結果表１８１には記載しきれなかった、検査結果１００の判定に即した詳細情報４１を閲覧することができる。また、コンテンツサイト４に用意されている入力フィールド４２を用いて受診者と病院や検診センターとの接点が増える。
【００５２】
上述では、ＢＭＩ値単独で判定を行い、結果表１８１を作成する例を示したが、複数の検査結果１００を総合的に判断して結果表１８１を作成するようにしてもよい。例えば、ＢＭＩ値の取りうる区分と血圧の取りうる区分との組み合わせによって、総合的な区分を細分化し、この細分化された総合的な区分を表す一つの区分コード１５１を取得する。そして、この区分コード１５１に対応した２次元コード１８２と判定結果１８３を結果表１８１に配置する。
【００５３】
図８は、複数の検査結果１００を総合的に判断する例における、区分テーブル１５０の他の具体例を示す模式図である。また、図９は、複数の検査結果１００を総合的に判断する例における、アドレス情報テーブル１７０の他の具体例を示す模式図である。具体的には、ＢＭＩ値と血圧との総合的な判定を行う具体例である。
【００５４】
図８に示すように、区分テーブル記憶部１５が記憶する区分テーブル１５０には、ＢＭＩ値が取りうる区分の各区分コード１５１と血圧が取りうる区分の各区分コード１５１が記憶されており、それぞれの区分コード１５１に区分判定式１５２が対応付けられている。
【００５５】
判定部１４は、結果記憶部１１からＢＭＩ値と血圧の検査結果１００を読み出し、ＢＭＩ値を表す検査結果１００が属する区分の区分コード１５１を取得し、さらに血圧を表す検査結果１００が属する区分の区分コード１５１を取得する。
【００５６】
図９に示すように、アドレス情報記憶部１７が記憶するアドレス情報テーブル１７０には、ＢＭＩ値が取りうる区分の各区分コード１５１と血圧が取りうる区分の各区分コード１５１の各組み合わせで表される総合的な区分コード１５１が記憶されており、この総合的な区分コード１５１に対応してアドレス情報１７１が記憶されている。コンテンツサイト４は、ＢＭＩ値の取りうる区分と血圧の取りうる区分の組み合わせで細分化されて用意され、それぞれのコンテンツサイト４のアドレス情報１７１が記憶されている。
【００５７】
２次元コード作成部１６は、ＢＭＩ値が属する区分の区分コード１５１と血圧が属する区分の区分コード１５１との組み合わせと同一の組み合わせで表される総合的な区分コード１５１をアドレス情報テーブル１７０から探索し、該当の総合的な区分コード１５１に対応付けられているアドレス情報１７１を取得する。そして、この取得したアドレス情報１７１を文字列から２次元コード１８２に変換する。
【００５８】
また、定型のコメントと点数とを予め対応付けておけば、定型のコメントで表される検査結果１００を用いて判定を行うこともできる。
【００５９】
上述では、アドレス情報１７１を２次元コード１８２の形式で結果表１８１に配置するようにしたが、「ｈｔｔｐ：／／〜」のような文字列をそのまま結果表１８１に配置してもよい。この場合、２次元コード作成部１６を健診支援装置１から排除することができ、結果表作成部１８においてアドレス情報記憶部１７からアドレス情報１７１を取得する。また、２次元コード１８２に代えて、アドレス情報１７１を文字列からバーコードに変換してから結果表１８１に配置してもよい。
【００６０】
出力部２としては、プリンタ以外にも、液晶ディスプレイやＣＲＴディスプレイといったモニタ、ＣＤ−ＲＡＭドライブやＤＶＤ−ＲＡＭドライブといったメディアドライブ、又はＵＳＢメモリが差し込まれるＵＳＢ端子であってもよい。
【００６１】
出力部２がモニタである場合は、出力制御部１９は、ディスプレイドライバとして、文字列や２次元コード１８２やバーコードのような形態を有するアドレス情報１７１を配した結果表１８１をモニタに表示させる。出力部２がメディアドライブやＵＳＢ端子である場合は、出力制御部１９は、文字列や２次元コード１８２やバーコードのような形態を有するアドレス情報１７１を配した結果表１８１を挿入されたメディアに記憶させる。
【００６２】
以上のように、本実施形態に係る健診支援装置１では、検査結果１００の判定に即する内容を有するコンテンツサイト４を予め記憶しておく。また、検査結果１００が取りうる区分の区分コード１５１と、この区分コード１５１に対応付けて、検査結果１００の判定に即する内容を有するコンテンツサイト４のアドレス情報１７１を予め記憶しておく。そして、検査結果１００が属する区分を判定して区分コード１５１を取得し、区分コード１５１に対応付けられているアドレス情報１７１を文字列や２次元コード１８２やバーコードの形式で結果表１８１に配置する。
【００６３】
これにより、結果表１８１は情報を提供するスペースが限られているが、受診者を検査結果に応じたコンテンツサイト４に導くことができ、一般的な内容や更に詳細な情報等の結果表に記載しきれなかった内容を検査結果に応じて提供することができる。例えば、結果表１８１には、個人に関する重要な事柄を重点的に記載し、記載しきれなかった一般的な内容や検査結果１００に即した詳細情報４１をコンテンツサイト４に収容しておく。
【図面の簡単な説明】
【００６４】
【図１】本実施形態に係る健診支援装置の概念を示す模式図である。
【図２】コンテンツサイトの具体例を示す模式図である。
【図３】本実施形態に係る健診支援装置の構成を示す構成図である。
【図４】区分テーブルを示す模式図である。
【図５】アドレス情報テーブルを示す模式図である。
【図６】結果表を示す模式図である。
【図７】本実施形態に係る健診支援装置の動作を示すフローチャートである。
【図８】区分テーブルの他の具体例を示す模式図である。
【図９】アドレス情報テーブルの他の具体例を示す模式図である。
【符号の説明】
【００６５】
１  健診支援装置
１０  入力部
１１  結果記憶部
１２  定型コメント記憶部
１３  結果加工部
１４  判定部
１５  区分テーブル記憶部
１６  ２次元コード作成部
１７  アドレス情報記憶部
１８  結果表作成部
１９  出力制御部
２  出力部
３  情報端末
４  コンテンツサイト
４１  詳細情報
４２  入力フィールド
１００  検査結果
１５０  区分テーブル
１５１  区分コード
１５２  区分判定式
１７０  アドレス情報テーブル
１７１  アドレス情報
１８１  結果表
１８２  ２次元コード
１８３  判定結果
【図２】
0005319120.tif 000002
【図３】
0005319120.tif 000003
【図４】
0005319120.tif 000004
【図５】
0005319120.tif 000005
【図６】
0005319120.tif 000006
【図７】
0005319120.tif 000007
【図８】
0005319120.tif 000008
【図９】
0005319120.tif 000009
【図１】
0005319120.tif 000010